(57)【要約】 【課題】給水レバー機構全体の意匠性向上、給水作動および給水量の安定性向上及び給水器の保護を図った冷蔵庫を得る。【解決手段】冷蔵庫扉の前面部に給水器を有する冷蔵庫において、給水器は給水機構を有する給水器本体１と、給水機構に設けられた給水口の開閉を行う給水レバー５と、給水器本体１の前部を覆う給水器カバー６とを備え、給水レバー５は中央に穴５ｆを有し、給水器カバー６が給水器の前部とともに穴５ｆに、給水レバー５が作動可能に配設されている。また、冷蔵庫扉に、給水器本体１を冷蔵庫扉に挿着するためのガイド部材を備え、給水器カバー６を給水器本体１と共にガイド部材にネジ８で共締め固定している。【選択図】図３
2007147199.tif 000002
【特許請求の範囲】
【請求項１】
冷蔵庫扉の前面部に給水器を有する冷蔵庫において、
前記給水器は給水機構を有する給水器本体と、
前記給水機構に設けられた給水口の開閉を行う給水レバーと、
前記給水器本体前部を覆う給水器カバーと、
を備え、
前記給水レバーは中央に穴を有し、前記給水器カバーが前記給水器の前部とともに前記穴に、前記給水レバーが作動可能に配設されたことを特徴とする冷蔵庫。
【請求項２】
前記冷蔵庫扉に、前記給水器本体を冷蔵庫扉に挿着するためのガイド部材を備え、
前記給水器カバーを前記給水器本体と共に前記ガイド部材にネジで共締め固定したことを特徴とする請求項１記載の冷蔵庫。
【請求項３】
前記給水レバー背面に設けられたリブと、
前記給水器カバーに設けられ前記給水レバーの作動時に前記リブが挿入される溝部と、
を備えたことを特徴とする請求項１または２記載の冷蔵庫。
【請求項４】
前記溝部と前記リブのそれぞれの左右側面が当接するようにしたことを特徴とする請求項３記載の冷蔵庫。
【請求項５】
前記溝部の底面と前記リブの端部が当接するようにしたことを特徴とする請求項３または４記載の冷蔵庫。
【請求項６】
前記給水器カバー上方奥側を覆う蓋を備え、
前記給水レバーを給水作動の逆方向へ跳ね上げた時に、
前記蓋の上部が、前記給水レバーのストッパーとなるようにしたことを特徴とする請求項１〜５のいずれかに記載の冷蔵庫。
【発明の詳細な説明】
【技術分野】
【０００１】
本発明は、扉に給水器を備えた冷蔵庫に係り、特に、給水器の給水レバーを改善した冷蔵庫に関するものである。
【背景技術】
【０００２】
従来の扉に給水器を備えた冷蔵庫は、扉内棚上部に設けた貯水タンクと、扉の前面部に設けた給水器と、その間を接続する給水制御パイプを備え、貯水タンクと相対する扉前面の高さに給水器を設置し、給水制御パイプに設けた給水レバーに連動して給水口の開閉を行っており、貯水タンクを扉庫内棚の上部に設置することができ、給水動作がし易く、食品収納スペースをとらず、また、ポンプを使用しないため構成部品点数が少なく機構も簡単なものである（例えば、特許文献１参照）。
【０００３】
【特許文献１】特開２００５−１１４２９０号公報（段落００１３〜００３１、図１〜３）
【発明の開示】
【発明が解決しようとする課題】
【０００４】
従来の冷蔵庫の給水器は、給水レバーの作動部を除く全体を給水器カバーで覆うため、レバーの意匠面は下部作動部のみであり、意匠性に乏しかった。また、給水レバーの押し代のみが、給水口を開閉するゴム蓋の弁に直結したシャフトに伝達されているので、給水レバーは、意匠部分としての制約と給水作動時の給水口開閉の弁直結の摺動棒の作動不安定による給水流量の安定性に問題があり、また、給水器本体と給水器カバーを別々に固定していたため、ネジ、リベット等の固定部品点数増の問題点があった。
また、部品点数低減仕様として、給水器カバーの固定にネジ、リベット等を使用せず、爪等での引掛け固定しているタイプのものに関しては、工具の使用が無く給水器カバーが取り外せるため、給水器本体に安易に触れることが出来、子供等ユーザーにいたずらされる要素を含んでいた。
【０００５】
この発明は、上記のような課題を解決するためになされたもので、目的とするところは、給水レバー機構全体の意匠性向上、給水作動および給水量の安定性向上及び給水器の保護を図った冷蔵庫を得るものである。
【課題を解決するための手段】
【０００６】
この発明に係る冷蔵庫は、冷蔵庫扉の前面部に給水器を有する冷蔵庫において、前記給水器は給水機構を有する給水器本体と、前記給水機構に設けられた給水口の開閉を行う給水レバーと、前記給水器本体前部を覆う給水器カバーと、を備え、前記給水レバーは中央に穴を有し、前記給水器カバーが前記給水器の前部とともに前記穴に、前記給水レバーが作動可能に配設されたものである。
【発明の効果】
【０００７】
この発明によれば、給水レバーは中央に穴を有し、給水器カバーが給水器の前部とともに穴に、給水レバーが作動可能に配設されたので、給水レバー全体が意匠部品という効果を有し、また、給水レバーは、給水器カバーと共に一体化するように見えるので、トータル意匠部品として意匠性を向上することができる。
【発明を実施するための最良の形態】
【０００８】
実施の形態１．
図１はこの発明の実施の形態１を示すにおける給水器を有する冷蔵庫扉の正面図、図２は図１の要部断面図、図３は給水器の給水レバーおよび給水器カバーの外観図、図４は給水レバーの斜視図、図５は給水器カバーと給水器カバーの蓋の斜視図、図６、図７は給水器の組立て説明図である。
図１〜５において、 冷蔵庫扉９の前面部に落下式の給水器１５が設けられ、冷蔵庫扉９の背面に設けられた貯水タンク１０が設けられている。
給水器１５は、給水機構を有する給水器本体１、給水機構の給水口１ｂの開閉を行う 給水レバー５と、給水器本体１の前部を覆う給水器カバー６、給水器カバー６の上方奥側を覆う給水器カバー蓋７とから構成される。
【０００９】
給水器本体１は、貯水タンク１０に接続される給水パイプ１ａと、給水パイプ１ａの給水口１ｂに装着される摺動棒３、摺動棒３の外周に装着されるスプリング１３、摺動棒３の下端に装着されたゴム蓋２、摺動棒３の上端部及びピン４で固定される給水レバー５からなる給水機構から構成される。
また、給水レバー５の中央には穴５ｆ、上部部には、ピン４が挿入されるピン穴５ｇ及び上部先端部５ｂを有する保持部５ｅが設けられている。  
【００１０】
また、給水器カバー６は、前面に曲面部６ａ、背面に給水パイプ１ａを冷蔵庫扉９に挿着するためのガイド部材１１に仮固定するための背面ボス６ｂ、ガイド部材１１へのネジ８用のネジ穴６ｄと、給水器カバー蓋７の取り付け用の凹部６ｅが設けられている。
【００１１】
このような構成において、給水器本体１を覆う給水器カバー６は小さい構造であり、給水レバー５の中央の穴５ｆから給水レバー５内部に挿入されているので、給水レバー５と給水器カバー６がトータル意匠のように見える。
【００１２】
次に、給水器の組立手順について図６により説明する。
図６（ａ）において、給水器本体１の摺動棒３に給水レバー５を被せ、ピン４をピン穴５ｇに通し、摺動棒３と給水レバー５を固定する。次に、図６（ｂ）において、給水レバー５が付いた給水器本体１の給水パイプ１ａを扉内のガイド部材１１に通し、座面１ｃをガイド部材の爪１１ｂ、１１ｃに引掛け、給水器本体１を仮固定する。次に、図６（ｃ）において、給水レバー５を手前上方に跳ね上げ、給水器カバー６を挿入し、給水器カバーの背面ボス６ｂをガイド部材の凹部１１ｃに挿入し、給水器カバー６を仮固定する。そして、給水器カバー６と給水器本体１の座面１ｃをガイド部材の凹部１１ｄにネジ８にて共締めし、本固定することにより、給水器カバー６は冷蔵庫扉９に固定される。
【００１３】
次に図６（ｄ）において、給水レバー５を押し込み、上部に給水器カバー蓋７を被せる。給水器カバー蓋７と給水器カバー６は、図７（ａ）に示す部分斜視図、図７（ｂ）に示す背面図、図７（ｂ）の部分拡大図である図７（ｃ）に示すように水器カバー蓋７の爪と
給水器カバー６の凹部が係合して固定される。このようにして、給水器の組立を完了する。
【００１４】
次に、動作を図２、図３により説明する。
まず、給水器１５の給水レバー５をコップ等で押すと給水レバー５の作動支点５ｂが給水器本体１の前上部に当り、これが支点となり給水レバー５のピン４が取り付けられた部分を上部へ押し上げる。そして、ピン４に保持されている摺動棒３とゴム蓋２も連動して上へ押し上げられ、スプリング１３が圧縮され給水口１ｂを開け、貯水タンク１０内の水が吐出される。
また、給水器組立て完了後に、給水レバー５を注水とは逆方向の手前側に引き上げようとすると、 給水レバーの上部先端５ｄが給水器カバー蓋７に当たりストッパーとなり、給水レバー５の跳ね上げを防止する。
【００１５】
以上のように、冷蔵庫扉の前面部に給水器を有する冷蔵庫において、給水器は給水機構を有する給水器本体と、前記給水機構の給水口の開閉を行う給水レバーと、給水器本体前部を覆う給水器カバーと、を備え、前記給水レバーは中央に穴を備え、前記給水器カバーが前記給水器の前部とともに前記穴に給水レバーが作動可能に配設されたので、給水レバ５ー全体が見え、給水レバー全体が意匠部品という効果を有し、また、給水レバーは、給水器カバーと共に一体化するように見えるので、トータル意匠部品として意匠性を向上することができる。
【００１６】
また、給水器カバー蓋７を設けることにより、内部の給水器本体１の給水機構を遮蔽すると共に、給水器カバー６と一体の意匠を構築でき意匠性を向上させることができる。
また、給水器カバー６及びガイド部材１１を小さい構造とすることができるため、成形材料費等を削減できる。
【００１７】
また、給水器カバー６と給水器本体１を共締め固定することにより、締結ネジ数が低減され、コストダウンすることができる。
また、給水器カバー６自体をネジ固定することにより、工具無しでは給水器カバー６を外すことはできなくなるため、給水器本体１への直接触が無くなり、子供等ユーザーにいたずらされることも防止している。
また、給水器カバー蓋７を取り付けることにより、給水レバー５を注水とは逆方向の手前側に引き上げようとすると、 給水レバー５の上部先端５ｄが給水器カバー蓋７に当たりストッパーとなり、給水レバー５の跳ね上げを防止することができる。
【００１８】
実施の形態２．
図８はこの発明の実施の形態２における給水器の断面図、図９は給水レバーの斜視図、図１０は給水器カバーと給水器カバーの蓋の斜視図である。
図８〜１０において、実施の形態１の図２〜５と同一または相当部分には同一の符号を付し説明を省略する。
【００１９】
給水レバー５の下部にはコップ１２を当てる凹形状のコップ当接部５ａ、背面には作動時に安定性の向上としてリブ５ｃが設けられている。  
また、給水器カバー６は、 両側に給水レバー５の背面リブが挿入される溝部６ｃが設けられている。
【００２０】
次に、動作について図８〜１０により説明する。
給水レバー５の下部を押すことにより、給水レバー５の作動支点５ｂを支点にレバー作動ストロークにて、給水口開閉の弁直結の摺動棒３が給水レバー５と共に中通し固定されたピン４により引き上げられ、給水器内部のゴム蓋の弁を開き注水するが、給水レバー５の背面部に設けたリブ５ｃが給水レバー５の作動時に、給水器カバー６の溝部６ｃを通過時、それぞれの底部が接触し給水レバー５が強制的に競り上がる。
また、コップ１２をコップ当接部５ａに当てると、コップ１２の位置は給水作動時に必然的に給水レバー５の上方奥の給水口１ｂ近傍に導かれる。
【００２１】
以上のように、給水レバー５のリブ５ｃと給水器カバー６の溝部６ｃが左右方向の接触により作動時のぐらつき防止となり、また、給水レバー背面のリブ５ｃの下部接触、競り上がりにより、連動した摺動棒３の上昇の補助を行い、給水作動ストロークのみによる注水以上の流量を増量させ、安定した流量を確保することができる。
また、注水時のコップ１２の位置が給水口近傍に導かれることにより、注水時の水のコップ１２外への飛び散りを防止すると共に、注水後にコップを給水レバー５より外す際にも滴下対策とすることができる。
【図面の簡単な説明】
【００２２】
【図１】この発明の実施の形態１における冷蔵庫扉の正面図である。
【図２】図１の要部断面図である。
【図３】この発明の実施の形態１における冷蔵庫の給水レバーおよび給水器カバーの外観図である。
【図４】この発明の実施の形態１における冷蔵庫の給水レバーの斜視図である。
【図５】この発明の実施の形態１における冷蔵庫の給水器カバーと給水器カバーの蓋の斜視図である。
【図６】この発明の実施の形態１における冷蔵庫の組立説明図である。
【図７】この発明の実施の形態１における冷蔵庫の組立説明図である。
【図８】この発明の実施の形態２における冷蔵庫の給水器の断面図である。
【図９】この発明の実施の形態２における冷蔵庫の給水レバーの斜視図である。
【図１０】この発明の実施の形態２における冷蔵庫の給水器カバーと給水器カバーの蓋の斜視図である。
【符号の説明】
【００２３】
１  給水器本体、１ａ  給水パイプ、１ｂ  給水口、４  ピン、５  給水レバー、５ａ  コップ当接部、５ｃ  リブ  、５ｆ  穴、６  給水器カバー、６ａ  曲面部、６ｂ  背面ボス、６ｃ  溝部、６ｄ  ネジ穴、６ｃ  凹部、７  給水器カバー蓋、８  ネジ、９  冷蔵庫扉、１０  貯水タンク、１１  ガイド部材、１２  コップ、１５  給水器。
【図１】
2007147199.tif 000003
【図２】
2007147199.tif 000004
【図３】
2007147199.tif 000005
【図４】
2007147199.tif 000006
【図５】
2007147199.tif 000007
【図６】
2007147199.tif 000008
【図７】
2007147199.tif 000009
【図８】
2007147199.tif 000010
【図９】
2007147199.tif 000011
【図１０】
2007147199.tif 000012